(57)【要約】【課題】情報の表示をユーザに理解しやすい形で効率的に行うこと。【解決手段】処方監査情報表示装置１０の記憶部３は、複数の薬品に対応する複数の監査項目の内容の情報を記憶し、表示部２は、複数の薬品の名称と各薬品に対応する複数の監査項目とを表形式で表示し、制御部４は、表示部２を制御し、さらに制御部２は、複数の薬品の名称のうちの第１の薬品の名称と第２の薬品の名称とが並んで表示されている状態で、第１の薬品に対応し、かつ、複数の監査項目のうちの少なくとも１つの監査項目に対応するマス目が指定された場合に、第１の薬品の名称と第２の薬品の名称との間に領域を形成し、その領域にマス目に対応する第１の薬品の監査項目の内容を表示するよう表示部２を制御する。【選択図】図１
2018156180.tif 000002
【特許請求の範囲】
【請求項１】
複数の薬品に対応する複数の監査項目の内容の情報を記憶する記憶部と、
前記複数の薬品の名称と各薬品に対応する複数の監査項目とを表形式で表示する表示部と、
前記表示部を制御する制御部と、
を備え、
前記制御部は、前記複数の薬品の名称のうちの第１の薬品の名称と第２の薬品の名称とが並んで表示されている状態で、前記第１の薬品に対応し、かつ、前記複数の監査項目のうちの少なくとも１つの監査項目に対応するマス目が指定された場合に、前記第１の薬品の名称と前記第２の薬品の名称との間に領域を形成し、該領域に前記マス目に対応する前記第１の薬品の監査項目の内容を表示するよう前記表示部を制御する
ことを特徴とする処方監査情報表示装置。
【請求項２】
前記制御部は、前記第１の薬品の名称と前記第２の薬品の名称との間に前記マス目に対応する前記第１の薬品の監査項目の内容が表示された状態で、前記マス目、または、前記監査項目の内容が表示された領域のいずれかが指定された場合に、前記第１の薬品の名称と第２の薬品の名称とが並んで表示されている状態に戻るよう前記表示部を制御することを特徴とする請求項１に記載の処方監査情報表示装置。
【請求項３】
前記制御部は、前記監査項目の内容を表示するよう前記表示部を制御する処理を他の薬品の組み合わせに対しても行い、前記表示部に表示された所定の領域が指定された場合に、すべての薬品の名称の表示が前記監査項目の内容を表示する前の状態に戻るよう前記表示部を制御することを特徴とする請求項１に記載の処方監査情報表示装置。
【請求項４】
前記制御部は、前記マス目、または、該マス目に表示される内容と、前記第１の薬品の監査項目の内容、または、該内容が表示される領域とを同じ色で表示するよう前記表示部を制御することを特徴とする請求項１に記載の処方監査情報表示装置。
【請求項５】
前記制御部は、２つ以上の監査項目に対応するマス目が指定された場合に、前記マス目に対応する前記第１の薬品の２つ以上の監査項目の内容、または、該内容が表示される領域を互いに異なる色で表示するよう前記表示部を制御することを特徴とする請求項１に記載の処方監査情報表示装置。
【請求項６】
前記制御部は、前記第１の薬品の監査項目の内容に対応付けて、ユーザからの入力を受け付ける入力領域を表示するよう前記表示部を制御することを特徴とする請求項１に記載の処方監査情報表示装置。
【請求項７】
前記制御部は、前記入力領域を、前記第１の薬品の監査項目の内容を表示する領域に表示するよう前記表示部を制御することを特徴とする請求項６に記載の処方監査情報表示装置。
【請求項８】
前記制御部は、前記第１の薬品の監査項目の内容が一度も表示されない場合に前記第１の薬品の名称、または、前記第１の薬品の名称が表示されている領域を強調表示するよう前記表示部を制御することを特徴とする請求項１に記載の処方監査情報表示装置。
【請求項９】
前記制御部は、前記第１の薬品の監査項目の内容が一度も表示されないで前記表形式の表示が終了される場合、警告を表示するよう前記表示部を制御することを特徴とする請求項１に記載の処方監査情報表示装置。
【請求項１０】
前記制御部は、前記第１の薬品の監査項目の内容が表示された場合にユーザからの入力を受け付け、前記内容が一度も表示されない場合にユーザからの入力を受け付けない入力領域を前記第１の薬品の監査項目の内容を表示する領域以外の領域に表示するよう前記表示部を制御することを特徴とする請求項６に記載の処方監査情報表示装置。
【請求項１１】
前記制御部は、前記ユーザから前記入力を受け付けてから所定の時間が経過した場合に、前記第１の薬品の監査項目の内容を再確認するよう促す警告を表示するよう前記表示部を制御することを特徴とする請求項６に記載の処方監査情報表示装置。
【請求項１２】
前記制御部は、前記再確認を促す警告を表示した場合に、ユーザからの入力を受け付ける再確認用の入力領域を表示するよう前記表示部を制御することを特徴とする請求項１１に記載の処方監査情報表示装置。
【請求項１３】
複数の薬品の名称と各薬品に対応する複数の監査項目とを表形式で表示する表示ステップと、
前記複数の薬品の名称のうちの第１の薬品の名称と第２の薬品の名称とが並んで表示されている状態で、前記第１の薬品に対応し、かつ、前記複数の監査項目のうちの少なくとも１つの監査項目に対応するマス目が指定された場合に、前記マス目に対応する前記第１の薬品の監査項目の内容を、前記複数の薬品に対応する複数の監査項目の内容の情報を記憶した記憶部から検索し、前記第１の薬品の名称と前記第２の薬品の名称との間に領域を形成し、該領域に検索の結果得られた内容を表示するよう表示部を制御するステップと、
を含むことを特徴とする処方監査情報表示方法。
【請求項１４】
複数の薬品の名称と各薬品に対応する複数の監査項目とを表形式で表示する表示手順と、
前記複数の薬品の名称のうちの第１の薬品の名称と第２の薬品の名称とが並んで表示されている状態で、前記第１の薬品に対応し、かつ、前記複数の監査項目のうちの少なくとも１つの監査項目に対応するマス目が指定された場合に、前記マス目に対応する前記第１の薬品の監査項目の内容を、前記複数の薬品に対応する複数の監査項目の内容の情報を記憶した記憶部から検索し、前記第１の薬品の名称と前記第２の薬品の名称との間に領域を形成し、該領域に検索の結果得られた内容を表示するよう表示部を制御する制御手順と、
をコンピュータに実行させることを特徴とする処方監査情報表示プログラム。
【発明の詳細な説明】
【技術分野】
【０００１】
本発明は、処方監査情報を表示する処方監査情報表示装置、処方監査情報表示方法、および、処方監査情報表示プログラムに関する。
【背景技術】
【０００２】
薬剤師は、病院等の医療機関が発行した処方箋に従って薬剤を調合する。その際、薬剤師は、処方箋の内容を見て、適切な投与量になっているか、重複投与となっていないか、禁忌処方となっていないかなどを調べる処方監査を行わなければならない。
【０００３】
従来、処方監査に必要な情報を効率的に把握することを可能にする表示装置が多数提案されてきた。
【０００４】
例えば、特許文献１には、薬剤ごとの項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、処方監査関連情報の具体的な情報を表示する具体情報欄とを表示部に表示し、薬剤欄、処方監査関連情報欄、および、交差欄のうちの少なくとも一つの欄の選択を受け付け、選択された欄における処方監査関連情報の数に基づいて、具体情報欄に具体的な情報を表示するマトリクス表示装置が開示されている。
【先行技術文献】
【特許文献】
【０００５】
【特許文献１】特開２０１４−６７１０４号公報
【発明の概要】
【発明が解決しようとする課題】
【０００６】
しかしながら、上述した特許文献１のマトリクス表示装置では、処方監査関連情報の具体的な情報を表示する具体情報欄が常に表示されるため、その他の情報の表示が制限されていた。
【０００７】
本発明は、かかる従来の課題を解決するためになされたものであり、情報の表示をユーザに理解しやすい形で効率的に行うことができる処方監査情報表示装置、処方監査情報表示方法、および、処方監査情報表示プログラムを提供することを目的とする。
【課題を解決するための手段】
【０００８】
上記目的を達成するために、本発明にかかる処方監査情報表示装置は、複数の薬品に対応する複数の監査項目の内容の情報を記憶する記憶部と、複数の薬品の名称と各薬品に対応する複数の監査項目とを表形式で表示する表示部と、表示部を制御する制御部と、を備え、制御部は、複数の薬品の名称のうちの第１の薬品の名称と第２の薬品の名称とが並んで表示されている状態で、第１の薬品に対応し、かつ、複数の監査項目のうちの少なくとも１つの監査項目に対応するマス目が指定された場合に、第１の薬品の名称と第２の薬品の名称との間に領域を形成し、該領域にマス目に対応する第１の薬品の監査項目の内容を表示するよう表示部を制御することを特徴とする。
【０００９】
また、本発明にかかる処方監査情報表示方法は、複数の薬品の名称と各薬品に対応する複数の監査項目とを表形式で表示する表示ステップと、複数の薬品の名称のうちの第１の薬品の名称と第２の薬品の名称とが並んで表示されている状態で、第１の薬品に対応し、かつ、複数の監査項目のうちの少なくとも１つの監査項目に対応するマス目が指定された場合に、マス目に対応する第１の薬品の監査項目の内容を、複数の薬品に対応する複数の監査項目の内容の情報を記憶した記憶部から検索し、第１の薬品の名称と第２の薬品の名称との間に領域を形成し、該領域に検索の結果得られた内容を表示するよう表示部を制御するステップと、を含むことを特徴とする。
【００１０】
また、本発明にかかる処方監査情報表示プログラムは、複数の薬品の名称と各薬品に対応する複数の監査項目とを表形式で表示する表示手順と、複数の薬品の名称のうちの第１の薬品の名称と第２の薬品の名称とが並んで表示されている状態で、第１の薬品に対応し、かつ、複数の監査項目のうちの少なくとも１つの監査項目に対応するマス目が指定された場合に、マス目に対応する第１の薬品の監査項目の内容を、複数の薬品に対応する複数の監査項目の内容の情報を記憶した記憶部から検索し、第１の薬品の名称と第２の薬品の名称との間に領域を形成し、該領域に検索の結果得られた内容を表示するよう表示部を制御する制御手順と、をコンピュータに実行させることを特徴とする。
【発明の効果】
【００１１】
本発明によれば、情報の表示をユーザに理解しやすい形で効率的に行うことができるという効果を奏する。
【図面の簡単な説明】
【００１２】
【図１】本発明の実施形態にかかる処方監査情報表示装置の構成の一例を示す図
【図２】本実施形態にかかる処方監査情報表示処理の処理手順の一例を示す図
【図３Ａ】処方監査情報表示処理により表示される表示画面の一例を示す図
【図３Ｂ】処方監査情報表示処理により表示される表示画面の一例を示す図
【図３Ｃ】処方監査情報表示処理により表示される表示画面の一例を示す図
【図３Ｄ】処方監査情報表示処理により表示される表示画面の一例を示す図
【図３Ｅ】処方監査情報表示処理により表示される表示画面の一例を示す図
【図３Ｆ】処方監査情報表示処理により表示される表示画面の一例を示す図
【図３Ｇ】処方監査情報表示処理により表示される表示画面の一例を示す図
【図３Ｈ】処方監査情報表示処理により表示される表示画面の一例を示す図
【図３Ｉ】処方監査情報表示処理により表示される表示画面の一例を示す図
【発明を実施するための形態】
【００１３】
以下、本発明の実施形態について図面を参照しつつ説明する。なお、本発明はこの実施形態に限定されるものではなく、種々の変形が可能である。
【００１４】
図１は、本発明の実施形態にかかる処方監査情報表示装置１０の構成の一例を示す図である。処方監査情報表示装置１０は、入力部１、表示部２、記憶部３、および、制御部４を有する。
【００１５】
入力部１は、例えば、キーボード、マウス、ハンディスキャナ等の入力デバイスである。入力部１は、ユーザからの指示操作、選択操作などを受け付け、受け付けた操作の内容を制御部４に伝達する。例えば、入力部１は、ユーザが入力操作を行った処方情報を受け付ける。
【００１６】
処方情報とは、例えば、患者を特定するための患者情報（患者ＩＤ、患者氏名等）、患者に処方された処方薬の名称を示す処方薬情報、患者の処方履歴を示す情報である処方歴情報などを含む。
【００１７】
また、入力部１は、ハンディスキャナ等を含み、患者が持参する処方箋に付された２次元コードを入力部１が読み取ることによって、患者情報、処方薬情報、処方薬の用量を示す用量情報等の情報が入力される。
【００１８】
表示部２は、種々の情報を表示可能な液晶ディスプレイなどの表示デバイスである。例えば、表示部２は、制御部４による制御により、複数の薬品の名称と各薬品に対応する複数の監査項目とを表形式で表示する。
【００１９】
記憶部３は、種々の情報を記憶するハードディスク装置やメモリなどの記憶デバイスである。例えば、記憶部３は、複数の薬品に対応する複数の監査項目の情報が登録された薬剤情報管理テーブル３ａを記憶する。
【００２０】
制御部４は、処方監査情報表示装置１０の各部の処理を制御するＣＰＵ（Central Processing Unit）などの制御デバイスである。
【００２１】
例えば、表示部２が、複数の薬品名と各薬品に対応する複数の監査項目とを表形式で表示し、第１の薬品名と第２の薬品名とを並べて表示している場合に、ユーザの入力部１の操作により第１の薬品に対応し、かつ、複数の監査項目のうちの少なくとも１つの監査項目に対応するマス目が指定されたものとする。
【００２２】
この場合、制御部４は、上記マス目に対応する第１の薬品の監査項目の内容を、複数の薬品に対応する複数の監査項目の内容の情報を含む薬剤情報管理テーブル３ａを記憶した記憶部３から検索する。
【００２３】
そして、制御部４は、第１の薬品名と第２の薬品名との間に新たに領域を形成し、その領域に、検索の結果得られた監査項目の内容を表示するよう表示部２を制御する。
【００２４】
次に、図２、図３Ａ〜図３Ｉを参照して、本実施形態にかかる処方監査情報表示処理の処理手順について詳しく説明する。図２は、本実施形態にかかる処方監査情報表示処理の処理手順の一例を示すフローチャートである。図３Ａ〜図３Ｉは、処方監査情報表示処理により表示される表示画面の一例を示す図である。
【００２５】
まず、制御部４は、薬剤情報管理テーブル３ａから、複数の薬品に対応する複数の監査項目の情報を読み出す（ステップＳ１００）。
【００２６】
つぎに、表示部２は、図３Ａに示すように、複数の薬剤名と各薬品に対応する複数の監査項目とを表形式で表示する（ステップＳ１０１）。
【００２７】
図３Ａの例において、「日量」、「日数」、．．．、「注意」が監査項目であり、「Ａ」、「Ｂ」、「Ｃ」、「Ｄ」が薬剤名である。
【００２８】
その後、制御部４は、ユーザの入力部１の操作により第１の薬品に対応し、かつ、複数の監査項目のうちの少なくとも１つの監査項目に対応する表のマス目が指定されたか否かを判定する（ステップＳ１０２）。
【００２９】
例えば、制御部４は、図３Ａの例において、Ａの薬剤名に対応し、かつ、用量の監査項目に対応する表のマス目（「●＞１．９０」と表示されているマス目）３０１ａが、ユーザによりマウス等でクリックされることにより指定されたか否かを判定する。
【００３０】
どのマス目も指定されていない場合（ステップＳ１０２においてＮＯの場合）、ステップＳ１０６に移行する。
【００３１】
いずれかのマス目が指定された場合（ステップＳ１０２においてＹＥＳの場合）、制御部４は、並んで表示されている第１の薬品名と第２の薬品名との間に新たに領域を形成し、その領域に上記マス目に対応する第１の薬品の監査項目の内容を表示するよう表示部２を制御する（ステップＳ１０３）。
【００３２】
図３Ｂには、Ａの薬剤名に対応し、かつ、用量の監査項目に対応するマス目（「●＞１．９０」と表示されているマス目）３０１ａがマウス等でクリックされることにより指定された場合が示されている。
【００３３】
また、図３Ｃには、並んで表示されている「Ａ」という薬品名と「Ｂ」という薬品名との間に新たに領域３０２ａが形成され、その領域に上記マス目３０１ａに対応する「Ａ」の薬品の監査項目の内容（「●用量（２錠）が・・・」）が表示された状態が示されている。
【００３４】
そして、制御部４は、第１の薬品に対応し、かつ、複数の監査項目のうちの少なくとも１つの監査項目に対応するマス目３０１ａがユーザにより再度指定されたか否かを判定する（ステップＳ１０４）。
【００３５】
図３Ｄの例では、制御部４は、Ａの薬剤名に対応し、かつ、用量の監査項目に対応するマス目（「●＞１．９０」と表示されているマス目）３０１ａがマウス等でクリックされることにより再度指定されたか否かを判定する。
【００３６】
上記マス目３０１ａが再度指定されなかった場合（ステップＳ１０４においてＮＯの場合）、ステップＳ１０６に移行する。
【００３７】
上記マス目３０１ａが再度指定された場合（ステップＳ１０４においてＹＥＳの場合）、制御部４は、第１の薬品の名称と第２の薬品の名称とが並んで表示されている状態（すなわち、図３Ａの状態）に戻るよう表示部２を制御する（ステップＳ１０５）。
【００３８】
その後、制御部４は、ユーザの入力部１の操作により本処理を終了する指示がなされたか否かを判定する（ステップＳ１０６）。本処理を終了する指示がなされていない場合（ステップＳ１０６においてＮＯの場合）、ステップＳ１０２以降の処理が実行される。
【００３９】
本処理を終了する指示がなされた場合（ステップＳ１０６においてＹＥＳの場合）、この処方監査情報表示処理は終了する。
【００４０】
なお、上述したステップＳ１０５においては、マス目の代わりに、並んで表示されている第１の薬品名と第２の薬品名との間に形成され、監査項目の内容が表示された領域３０２ａがユーザにより指定された場合に、制御部４が、第１の薬品の名称と第２の薬品の名称とが並んで表示されている状態に戻るよう表示部２を制御してもよい。
【００４１】
また、制御部４は、上述したようにして複数のマス目が指定された場合、指定されたマス目に対応する薬品の監査項目の内容をそれぞれ表示するよう表示部２を制御する。
【００４２】
図３Ｅには、Ａ〜Ｄという複数の薬品名に対応する監査項目のマス目３０１ａ〜３０１ｄが指定された結果、指定されたマス目３０１ａ〜３０１ｄに対応する薬品の監査項目の内容がそれぞれ表示された状態が示されている。
【００４３】
この場合、指定されたマス目３０１ａ〜３０１ｄと監査項目の内容との間の対応関係がわかるように、制御部４は、マス目３０１ａ〜３０１ｄ、または、そのマス目３０１ａ〜３０１ｄに表示される内容と、監査項目の内容、または、その内容が表示される領域３０２ａ〜３０２ｄとを同じ色で表示するように表示部２を制御してもよい。
【００４４】
図３Ｅには、マス目３０１ａ〜３０１ｄと監査項目の内容が表示される領域３０２ａ〜３０２ｄとが同じ色で表示された状態が示されている。
【００４５】
また、図３Ｆに示すように、制御部４は、表示部２に表示された所定の領域３０３がマウス等でクリックされることにより指定された場合に、すべての薬品の名称の表示が監査項目の内容を表示する前の状態（すなわち、図３Ａに示す状態）に戻るよう表示部２を制御してもよい。
【００４６】
さらに、制御部４は、１つの薬品に対応する２つ以上の監査項目のマス目が指定された場合に、それらのマス目に対応する薬品の２つ以上の監査項目の内容、または、該内容が表示される領域を互いに異なる色で表示するよう表示部２を制御してもよい。
【００４７】
図３Ｇの例では、Ａの薬品に対応する用量および注意の監査項目のマス目（「●＞１．９０」および「併」と表示されているマス目）３０１ａ、３０１ｅが指定された場合に、用量の監査項目の内容が表示される領域３０２ａと、注意の監査項目の内容が表示される領域３０２ｅとが表示される。
【００４８】
この場合、制御部４は、用量の監査項目のマス目３０１ａと領域３０２ａとを同じ色で表示し、注意の監査項目のマス目３０１ｅと領域３０２ｅとを領域３０２ａとは異なる第２の色で表示するよう表示部２を制御する。これにより、ユーザは、異なる監査項目の内容を容易に区別して把握することができる。
【００４９】
また、図３Ｈに示すように、制御部４は、各薬品の監査項目の内容３０２ａ〜３０２ｃに対応付けて、ユーザからの入力を受け付ける入力領域３０４ａ〜３０４ｃを表示するよう表示部２を制御してもよい。図３Ｈの例では、表示部２は、入力領域３０４ａ〜３０４ｃを監査項目の内容を表示する領域３０２ａ〜３０２ｃに表示する。
【００５０】
ユーザは、各薬品の監査項目の内容を確認した場合に、入力領域３０４ａ〜３０４ｃにチェックを入れる。これにより、ユーザが監査項目の内容を確認したか否かが確実に把握される。
【００５１】
また、この例において、入力領域３０４ａ〜３０４ｃに入力がなされていない場合には、制御部４は、入力領域３０４ａ〜３０４ｃに対応する薬剤名の文字や薬剤名が表示されている領域を色や点滅により強調表示するよう表示部２を制御してもよい。
【００５２】
また、図３Ｉのように、制御部４は、各薬品の監査項目の内容に対応付けて、ユーザからの入力を受け付ける入力領域３０４ａ〜３０４ｄを、監査項目の内容を表示する領域３０２ａ〜３０２ｃ外に表示するよう表示部２を制御してもよい。
【００５３】
この場合、入力領域３０４ａ〜３０４ｄは、監査項目の内容が表示された場合にユーザからの入力を受け付け、その内容が一度も表示されない場合にユーザからの入力を受け付けない領域としてもよい。これにより、ユーザに監査項目の内容を見るよう促すことができる。
【００５４】
また、この例において、監査項目の内容が一度も表示されない場合には、制御部４は、入力領域３０４ａ〜３０４ｃに対応する薬剤名の文字や薬剤名が表示されている領域を色や点滅により強調表示するよう表示部２を制御してもよい。
【００５５】
さらに、制御部４は、図３Ｈに示された入力領域３０４ａ〜３０４ｃ、または、図３Ｉに示された入力領域３０４ａ〜３０４ｄにおいて、ユーザから入力を受け付けてから所定の時間が経過した場合に、その薬品の監査項目の内容を再確認するよう促す警告を表示するよう表示部２を制御することとしてもよい。
【００５６】
これにより、一定の時間が経過した場合に再確認が必要となる監査項目をユーザに効果的に再確認させることができる。
【００５７】
また、このような再確認を促す警告を表示部２が表示した場合に、制御部４が、ユーザからの入力を受け付ける再確認用の入力領域を表示するよう表示部２を制御することとしてもよい。再確認を行ったユーザがこの入力領域に入力することにより、ユーザが監査項目の内容を再確認したか否かが確実に把握することができる。
【００５８】
さらに、制御部４は、複数の薬品のうちのいずれかの薬品の監査項目の内容が一度も表示されないで表形式の表示が終了される場合、警告を表示するよう表示部２を制御することとしてもよい。これにより、表形式の表示を終了する前に監査項目の内容を確認するようユーザに促すことができる。
【００５９】
以上、本発明に係る実施形態について図面を参照して詳述してきたが、上述した各装置の機能は、コンピュータプログラムにより実現され得る。
【００６０】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００６１】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００６２】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００６３】
以上説明してきたように、本発明は、処方監査情報を表示する装置に適用することができる。
【符号の説明】
【００６４】
１  入力部
１０  処方監査情報表示装置
２  表示部
３  記憶部
３ａ  薬剤情報管理テーブル
４  制御部
３０１ａ〜３０１ｅ  マス目
３０２ａ〜３０２ｅ  監査項目の内容が表示される領域
３０３  所定の領域
３０４ａ〜３０４ｄ  入力領域
【図１】
2018156180.tif 000003
【図２】
2018156180.tif 000004
【図３Ａ】
2018156180.tif 000005
【図３Ｂ】
2018156180.tif 000006
【図３Ｃ】
2018156180.tif 000007
【図３Ｄ】
2018156180.tif 000008
【図３Ｅ】
2018156180.tif 000009
【図３Ｆ】
2018156180.tif 000010
【図３Ｇ】
2018156180.tif 000011
【図３Ｈ】
2018156180.tif 000012
【図３Ｉ】
2018156180.tif 000013